(57)【特許請求の範囲】
【請求項１】
側面から外方に突出する突出片と変形可能な遮光モールとを備えた被包装物を包装する一枚の包装シート材からなる包装装置において、
前記包装装置は、
前記被包装物が載置される載置面部と、
つま面部と天面部と傾斜面部および前記載置面部と重合する底面部とからなり、前記載置面部の両端からそれぞれ角筒状に折り曲げられ当該被包装物の端部を保護するとともに、前記傾斜面部が前記遮光モールを回避する傾斜角度に形成され、かつ、前記天面部にスリットを設けてなり、前記底板部と傾斜面部がなす鋭角な角部が前記載置面部上の被包装物の端部に当たる一対の端部緩衝体と、
前記突出片の突出寸法より大きい幅に形成された一対の緩衝片であって、前記端部緩衝体の両側に前記天面部と傾斜面部から切離され前記底面部と繋がるとともに前記載置面部と重合し、内側縁間の寸法が前記被包装物の幅より大きく形成されるとともに前記内側縁が前記載置面部上の前記被包装物の縁部にあてがわれ、外側縁が前記載置面部の側方の折り筋線に沿った状態に設けられる一対の緩衝片と、
前記載置面部の両側端から折り曲げられた側面部と、
前記スリットに差し込まれて前記端部緩衝体が前記被包装物に向かって倒れたがる癖を矯正する差し込み片を設けて前記側面部から折り曲げられ前記側面部とともに前記端部緩衝体を巻き込んで前記天面部に重なる天面板部と、
を備えてなることを特徴とする包装装置。
【発明の詳細な説明】
【０００１】
【発明の属する技術分野】
本発明は、照明器具に取付けられる枠体の包装装置に関する。
【０００２】
【従来の技術】
従来、照明器具に取付けられる枠体の包装装置について、図７を参照して説明する。
【０００３】
被包装物としての枠体１は、図７（Ａ）に示すように、略矩形状をなし、この枠体１の側面２には、幅方向にそれぞれ突出して２個の引掛金具５，５が取付けられている。これら引掛金具５，５は、枠体１を器具本体（図示せず）に取付けるための金具である。
【０００４】
さらに、枠体１には、図７（Ｂ）に示すように、当該枠体の外郭３より若干水平方向に突出した起毛状の遮光モール６が取付けられている。この遮光モール６は、枠体を器具本体（図示せず）内に取付けたとき、当該器具本体内に取付けられているランプ（図示せず）の光が、器具本体と枠体との隙間から漏れるのを遮光するためのものである。
【０００５】
被包装物としての枠体１を包装する包装装置は、胴体部９を構成する巻板１０と、胴体部のつま面を構成する一対の角筒状に形成された端部緩衝体２０，２０と、枠体１の側面２から幅方向に突出して取付けられた引掛金具５を保護する２枚の保護板２５，２５とから構成している。
【０００６】
胴体部を構成する巻き板１０は、包装シート材として、例えば、一枚の段ボール板材からなり、長方形状の底板１１と、この底板１１の両側に折り筋線１７，１７を介して形成した長方形状の一対の側板１２，１２と、これら側板の側方に折り筋線１８を介して形成した長方形状の天板１３とから構成し、天板の幅寸法は、底板の幅寸法の１／２に形成されている。
【０００７】
端部緩衝体２０は、巻き板の底板１１上の両端に載置され一枚の段ボール板材を角筒状に折曲げ形成したもので、この端部緩衝体の幅は、巻き板の底板１１の幅と同一寸法に形成されるとともに、端部緩衝体の高さは、巻き板の側板１２の高さと同一寸法に形成されている。
【０００８】
保護板２５は、段ボール板材からなり、枠体１とこの枠体の幅方向に突出して取付けられている引掛金具５とを幅方向に角筒状に巻き付け使用するものである。
【０００９】
この保護板２５は、枠体１下方幅方向に取付けられる底板２６と、この底板２６の両側から折り筋線３４，３４を介して対向して折曲げられるとともに、枠体１の厚さと同一寸法からなる一対の側板２７と、これら一方の側板から折り筋線３５を介して底板２６と同一形状からなる上板２８とから構成している。
【００１０】
さらに、枠体１の横ずれを防止するために、保護板の底板２６上中央に、枠体１の幅と同一寸法からなる矩形状の中央貼り合せ板２９を貼付けるとともに、この中央貼り合せ板２９の両側に形成された凹部に当該中央貼り合せ板の厚さより厚い端部貼り合せ板３０，３０がそれぞれ貼付けられている。
【００１１】
つぎに、被包装物としての枠体を従来技術に係る包装装置で包装する手順を説明する。
【００１２】
最初に、巻板の底板１１両端上に接着剤１４をそれぞれ塗布するとともに、これら接着剤１４上に角筒状の端部緩衝体２０，２０をのせ、当該接着剤で角筒状の端部緩衝体を巻板の底板両端上に接着・固定する。
【００１３】
それから、枠体１に擦り傷などが付くのを防止するために、当該枠体を包装シート１５で包み込む。
【００１４】
つぎに、引掛金具５が取付けられている枠体１の位置に保護板２５を筒状に折曲げ取付けることにより、引掛金具５を保護板２５で保護する。
【００１５】
このとき、枠体１は、保護板の底板２６中央に貼付けられた中央貼り合せ板２９上に載置されるとともに、当該中央貼り合せ板の両側に貼付けられている端部貼り合せ板３０，３０間に挟まれることから、枠体１の横ずれを一対の端部貼り合せ板３０，３０により防止される。
【００１６】
保護板２５，２５を両端に取付けた枠体１を巻板の底板１１両端に貼付け固定された一対の端部緩衝体２０，２０間に納めるとともに、巻板の側板１２，１２と天板１３，１３を端部緩衝体に沿って巻き付けることにより胴体部９を形成し、最後に、巻板の天板１３，１３同志の突合わせ面に沿ってテープ（図示せず）を貼付けることにより包装が完了する。
【００１７】
【発明が解決しようとする課題】
上記のように従来の包装装置は、複数個の包装材即ち胴体部としての１枚の巻板１０と、胴体部の両端に配置されるつま面としての２個の端部緩衝体２０，２０と、被包装物としての枠体１に取付けられている引掛金具５を保護する２枚の保護板２５，２５とを使用している。
【００１８】
このため、包装材の製造から、運搬、梱包、包装材の産業廃棄物処理に至るまでの包装にかかる全ての工程において、時間とコストがかかるという問題があった。
【００１９】
また、枠体の端部に配置される端部緩衝体２０が、角筒状をしていることから、当該端部緩衝体の内側面２１は直角の面を形成している。
【００２０】
このため、端部緩衝体が、直接、枠体の縁にあてがうため、枠体より若干外方に突出している遮光モール６の先端が、端部緩衝体の内側面２１に当り潰れてしまう恐れがあるという問題があった。
【００２１】
本発明は上記の点に鑑みてなされたもので、包装にかかる時間とコストを減らすとともに、被包装物に取付けられた遮光モールの先端を保護する包装装置を提供することを課題とする。
【００２２】
【課題を解決するための手段】
前記課題を達成するために、本発明に係る請求項１記載の包装装置は、側面から外方に突出する突出片と変形可能な遮光モールとを備えた被包装物を包装する一枚の包装シート材からなる包装装置において、
前記包装装置は、
前記被包装物が載置される載置面部と、つま面部と天面部と傾斜面部および前記載置面部と重合する底面部とからなり、前記載置面部の両端からそれぞれ角筒状に折り曲げられ当該被包装物の端部を保護するとともに、前記傾斜面部が前記遮光モールを回避する傾斜角度に形成され、かつ、前記天面部にスリットを設けてなり、前記底板部と傾斜面部がなす鋭角な角部に前記載置面部上の被包装物の端部に当たる一対の端部緩衝体と、前記突出片の突出寸法より大きい幅に形成された一対の緩衝片であって、前記端部緩衝体の両側に前記天面部と傾斜面部から切離され前記底面部と繋がるとともに前記載置面部と重合し、内側縁間の寸法が前記被包装物の幅より大きく形成されるとともに前記内側縁が前記載置面部上の前記被包装物の縁部にあてがわれ、外側縁が前記載置面部の側方の折り筋線に沿った状態に設けられる一対の緩衝片と、前記載置面部の両側端から折り曲げられた側面部と、前記スリットに差し込まれて前記端部緩衝体が前記被包装物に向かって倒れたがる癖を矯正する差し込み片を設けて前記側面部から折り曲げられ前記側面部とともに前記端部緩衝体を巻き込んで前記天面部に重なる天面板部と、を備えてなることを特徴とするものである。
【００２５】
上記の請求項１記載の構成において、一枚の包装シート材から、載置面部の長手端部から角筒に巻き込んだつま面部と天面部と傾斜面部および底面部からなる端部緩衝体をもち、端部緩衝体の短手の両端に天面部と傾斜面部から切り離され底面部に繋がれた一対の緩衝片を配置し、これら緩衝片の内側縁を被包装物の両側の縁部にあてがうことで、被包装物の横ずれを防止するとともに、被包装物に取付けられた突出片を保護し、それらを側面部と天面板部とで覆い、被包装物を包装するので、包装にかかる時間とコストを減らすことができる。
【００２６】
さらに、角筒状に形成された端部緩衝体の傾斜面部の傾斜角度を、被包装物に取付けられている遮光モールを回避する角度を持たせたことにより、被包装物に取付けられた遮光モールの先端を保護する。
【００２７】
しかも、端部緩衝体の天面部側端部にスリットを設け、天面板部に差し込み片を設け、前記スリットに差し込むことで角筒の傾斜面部が被包装物に向かって倒れずにつま面部側できっちりと直角を保つよう梱包されるので、確実に、被包装物に取付けられた遮光モールの先端を保護することができる。
【００２８】
【発明の実施の形態】
以下、図１〜図５を参照して枠体を包装する本発明の実施の形態に係る包装装置を説明する。なお、従来技術と同一構成部品は同一番号を付して説明する。
【００２９】
図１は本発明に係る第１の実施の形態に係る包装装置の展開図を示すもので、包装装置４０は、１枚の包装シート材として、例えば、１枚の段ボール板材からなり、胴体部３９として構成される長手方向に形成された矩形状の載置面部４１と、この載置面部４１の両側に折り筋線４５，４５を介してそれぞれ形成された矩形状の側面部４２，４２と、これら側面部４２，４２の外側に折り筋線４６，４６を介して形成された天面板部４３，４３とから構成している。
【００３０】
さらに、天面板部４３の隅部には、長手方向に突出し扇形に形成された差し込み片４４，４４が折り筋線４７，４７を介して形成している。
【００３１】
また、載置面部４１の両端には対向して端部緩衝体５０，５０が形成され、この端部緩衝体５０は、載置面部４１の両端に折り筋線６０，６０を介して形成された当該載置面部４１と同一幅からなる矩形状のつま面部５１，５１と、このつま面部５１の端部側に折り筋線６１を介して当該つま面部５１より幅狭に形成された矩形状の天面部５２と、この天面部５２の端部側に折り筋線６２を介して形成され当該天面部５２と同一幅からなる矩形状の傾斜面部５３と、この傾斜面部５３の端部側に折り筋線６３を介して形成され前記つま面部５１と同一幅からなる矩形状の底面部５４と、この底面部５４と繋がれるとともに天面部５２と傾斜面部５３の両側に当該天面部５２と傾斜面部５３から切離されて形成された一対の緩衝片５５，５５とから形成している。
【００３２】
さらに、前記天面部５２のつま面部５１側の折り筋線６１に接して中央に幅方向にスリット５６が設けられている。このスリット５６の溝幅は、包装シート材の厚さと略同一に穿設されている。
【００３３】
また、前記緩衝片５５の幅Ｄは、枠体の側面２から突出している引掛金具５の突出寸法より大きく形成されている。
【００３４】
さらに、前記つま面部５１の両側に折り筋線６４，６４を介して台形状の側面フラップ部５７，５７が形成している。また、Ａに示す線は、段ボール板材の中芯の方向を示すものである。
【００３５】
つぎに、被包装物としての枠体を本発明に係る包装装置で包装する手順を説明する。
【００３６】
最初に、図４右側に示すように、包装装置４０の端部に形成されているつま面部５１と天面部５２と傾斜面部５３および底面部５４を折り筋線に沿って折曲げることにより、包装装置の両端部に対向して一対の端部緩衝体５０，５０を組み立てる。
【００３７】
第１ステップとして、図２（Ａ）に示すように、つま面部５１と天面部５２とを折り筋線６１，６２に沿って上方に向けてＬ字状に折曲げる。
【００３８】
第２ステップとして、図２（Ｂ）に示すように、一対の緩衝片５５，５５を両側に一体に連結した底面部５４を折り筋線６３に沿って斜め下方に折曲げる。
【００３９】
第３ステップとして、図３（Ａ）に示すように、両側に一体に緩衝片５５，５５を有する底面部５４を載置面部４１に重ね合わせつつ、傾斜面部５３を折り筋線６２に沿って内側に直角に折曲げ、図３（Ｂ）に示すように組み立てると、底面部５４の端縁５４ａは、つま面部５１の裏面に突当たって組み立てられる。
【００４０】
また、底面部５４の両側に一体に配置されている一対の緩衝片５５，５５は、載置面部４１に重合されるとともに、当該緩衝片５５の外側縁５５ａは、載置面部４１の側方に形成された折り筋線４５に沿った状態になっている。
【００４１】
緩衝片５５，５５の内側縁５５ｂ，５５Ｂ間Ｄ２の寸法は、図４に示すように、枠体１の幅Ｄ３が容易に入り込む程度の寸法になっている。
【００４２】
また、包装装置の両端に対向して形成された端部緩衝体５０，５０の傾斜面部５３間の寸法Ｌ１は、枠体１の長さＬ２が容易に入り込む程度の寸法になっている。
【００４３】
つぎに、枠体１を対向して形成されている端部緩衝体５０，５０の傾斜面部５３，５３間と緩衝片５５，５５間との間に挿入しつつ、枠体１を載置面部４１に載置する。
【００４４】
枠体１を載置面部４１に載置した状態では、図５に示すように、端部緩衝体の傾斜面部５３は、被包装物としての枠体１に取付けられている変形可能な遮光モール６の先端を回避する傾斜角度に形成されている。
【００４５】
さらに、包装装置の胴体部を以下の手順で組み立てる。
【００４６】
最初のステップとして、側面フラップ部５７，５７を折り筋線６４，６４に沿って内側に直角に折曲げる。それから、側面部４２，４２を折り筋線４５，４５に沿って上方に向けて直角に折曲げる。
【００４７】
つぎのステップとして、天面板部４３の両端に形成している差し込み片４４，４４を折り筋線４７，４７に沿って直角に内側に向けて折曲げる。それから、天面板部４３，４３を折り筋線４６，４６に沿って内側に折曲げるとともに、差し込み片４４，４４を端部緩衝体５０の天面部５２に穿設されているスリット５６に挿入する。
【００４８】
最後に、図６に示すように、テープ４９を天面板部４３，４３同士の突当て部およびつま面部５１，５１にかけて貼付け、包装装置の包装作業を完了する。なお、枠体１を載置面部４１に載置したのち、端部緩衝体５０，５０を当該載置面部４１の両端に組み立て、その後、胴体部を組み立ててもよい。
【００４９】
次に上記実施の形態に係る包装装置の作用を説明する。
【００５０】
本発明に係る包装装置は、１枚の段ボール板材を、図１に示すように、底面としての載置面部４１と、この載置面部４１の両側から側面部４２，４２をもち、それぞれの側面部４２，４２から天面板部４３をもち、その天面板部４３の隅部で封緘の突き合わせの時には、隣り合う位置に扇型状の側面フラップ部５７を具備した構成からなる胴体部３９に、載置面部４１長手両端から延長されてつま面部５１があり、そのつま面部５１の両側に広がるようにして側面部４２の内側にあてがう側面フラップ部５７があり、前記つま面部５１からは、胴体部３９としての天面板部４３と重なり合う天面部５２があり、その天面部５２のつま面部５１との境には、横に長いスリット５６が穿設されている。
【００５１】
天面部５２からは、つま面部５１と傾斜状に対向する傾斜面部５３があり、傾斜面部からは、載置面部４１と重なり合う底面部５４が形成されている。
【００５２】
また、前記天面部５２と傾斜面部５３の両側には、被包装物である枠体１の長手側面２から突出した引掛金具５の突出寸法よりも大きい寸法の切り込み線によって切り離され、底面部５４に繋がれた状態となる一対の緩衝片５５，５５が存在している。
【００５３】
一方、被包装物である枠体１は、照明器具本体に取付けられるもので光学特性により、いろいろなバリエーションのものがあるが、外形は同形状で枠体１の内部にルーバー４等を配置し、照明器具本体への取付けには、枠体１の幅方向に突出された引掛金具５により取り付けられ、点灯時に器具本体（図示せず）と枠体１との間から光が漏れるのを防ぐために、枠体１の上部に外郭３より若干水平方向に突出した遮光モール６が具備されている。
【００５４】
枠体１を包装装置で梱包する際、枠体１を載置面部４１に置き、つま面部５１と天面部５２と傾斜面部５３および底面部５４を枠体１に向かって巻き込み角筒状にして端部緩衝体５０，５０とする。
【００５５】
その際、緩衝片５５，５５だけは、角筒より分離され枠体１の両側の縁部にあてがわれ、枠体の横ずれを防止するとともに、枠体１の引掛金具５を保護する。また、傾斜面部５３により枠体１よりも大きい遮光モール６に触れずに緩衝できる。
【００５６】
さらに、天面部５２のスリット５６に扇型状の差し込み片４４を差し込むことで端部緩衝体の傾斜面部５３が、枠体１に向かって倒れたがるクセを矯正し、つま面部５１側できっちりと直角を保つよう梱包される。
【００５７】
【発明の効果】
以上詳記したように請求項１記載の本発明によれば、包装装置は、一枚の包装シート材から、長手端部の底面から角筒に巻き込んだつま面部と天面部と傾斜面部および底面部からなる端部緩衝体をもち、端部緩衝体の短手の両端には天面部と傾斜面部から切り離され底面部に繋がれた一対の緩衝片を配置し、それらを覆う側面部と、側面部に当る側面フラップ部と天面板部とから構成していることから、端部緩衝体としての機能を、最小限の材料で効果的に配置し、又、一体化することで、包装材の製造から、運搬、梱包、包装材の産業廃棄物処理に至るまでの、包装にかかる全ての工程においてシンプルで合理的な包装装置を提供できる。
【００５８】
さらに、角筒状の端部緩衝体の傾斜面部は、被包装物の変形しやすい箇所である遮光モールの先端を回避する傾斜角度を持たせたので、遮光モールの先端が潰れるのを防ぐ。
【００５９】
しかも、端部緩衝体の天面部側端部にスリットを設け、当該スリットに差し込む差し込み片を天面板部に設けたので、当該端部緩衝体のスリットに天面板部に設けた差し込み片を差し込むことで、端部緩衝体の傾斜面部が、被包装物に向かって倒れたがるクセを矯正し、つま面部側できっちりと直角を保つよう梱包できるので、確実に、遮光モールの先端が潰れるのを防ぐことができる。
【図面の簡単な説明】
【図１】本発明の第１実施の形態に係る包装装置を示す展開図。
【図２】同実施の形態における包装装置の端部緩衝体を組立てるステップを示すもので、
（Ａ）は端部緩衝体のつま面と天面部を略Ｌ字形に折曲げた状態を示す斜視図。
（Ｂ）は底面部を斜めに折曲げた状態を示す斜視図。
【図３】同実施の形態における包装装置の端部緩衝体を組立てるステップを示すもので、
（Ａ）は端部緩衝体の傾斜面部を折曲げる状態を示す斜視図。
（Ｂ）は端部緩衝体を折曲げた状態を示す斜視図。
【図４】同実施の形態における包装装置で被包装物を包装する状態を示す斜視図。
【図５】同実施の形態における包装装置の端部緩衝体を構成する傾斜面部の傾斜角度の状態を示す正面断面図。
【図６】同実施の形態における包装装置を組立てた状態を示す斜視図。
【図７】従来技術における包装装置で枠体を包装する状態を示すもので、
（Ａ）は包装装置で枠体を包装する状態を示す斜視図。
（Ｂ）は枠体と遮光モールとの位置関係を示す正面断面図。
【符号の説明】
１…枠体（被包装物），
５…引掛金具，
６…遮光モール，
３９…胴体部，
４１…載置面部，
４２…側面部，
４３…天面板部，
４４…差し込み片，
４５…折り筋線，
５０…端部緩衝体，
５１…つま面部，
５２…面部，
５３…傾斜面部，
５４…底面部，
５５…緩衝片，
５６…スリット。
【図１】
0003804263.tif 000002
【図２】
0003804263.tif 000003
【図３】
0003804263.tif 000004
【図４】
0003804263.tif 000005
【図５】
0003804263.tif 000006
【図６】
0003804263.tif 000007
【図７】
0003804263.tif 000008